(57)【要約】【課題】着脱が容易で、かつ安全性の高い筐体へのカバーの着脱構造を提供する。【解決手段】第１のロック構造とスライド部と第２のロック構造とを有し、第１のロック構造は装置筐体に設けられた係合部とその係合部と係合するランプカバー３に設けられたフック部５ａとで構成され、スライド部は装置筐体に設けられたガイド部とガイド部と係合するスライドレール８ａ、８ｂとで構成され、第２のロック構造は装置筐体の開口部の側壁の内面と係合する第２のロック構造のフック部６ａ、６ｂで構成され、ランプカバー３への押圧で第１のロック構造が開放された後のランプカバー３のスライドにより、第２のロック構造が係合して第１のロック構造とは異なった方向の押圧により第２のロック構造が開放されて、ランプカバー３の取り外しが可能となるプロジェクタダブルロックランプカバー構造を備える。【選択図】図２
2007095793.tif 000002
【特許請求の範囲】
【請求項１】
筐体へのカバーの着脱構造であって、
前記カバーは断面がＬ型であって、短い側面部と長い上面部とからなり、
前記筐体は、断面がＬ型の前記カバーが取り付けられる開口部を上面と側面とに有し、
前記カバーと前記筐体とは、第１の係合手段と第２の係合手段とスライドガイド手段とを具備し、
前記第１の係合手段は、前記カバーの一端部に設けられたフック部と、前記筐体の前記開口部の縁部に設けられている係合部とからなり、
前記第２の係合手段は、前記カバーの前記側面部の両端から前記上面部の両縁に沿って延びていて先端に外向きのフックを有するフック部と、前記筐体の前記側面に形成された前記開口部の側縁部とからなり、
前記スライドガイド手段は、前記カバーの裏面に設けられたスライドレールと、前記筐体に設けられたガイド部とからなることを特徴とする筐体へのカバーの着脱構造。
【請求項２】
前記スライドガイド手段は、前記カバーを前記筐体の前記側面の前記開口部に向かう方向で第１のスライド距離だけガイド可能に前記スライドレールと前記ガイド部とが係合し、
前記カバーの前記第１の係合手段のフック部近傍は可撓性を有し、該第１の係合手段のフック部は先端に、前記カバーが前記筐体に取り付けられたとき、前記筐体に設けられた前記係合部と係合可能なフックを有し、
前記第２の係合手段の前記フック部は可撓性を有し、先端の前記フックは前記カバーの前記側面部の表面から前記第１のスライド距離より少ない第２のスライド距離だけ離れて設けられている、請求項１に記載の筐体へのカバーの着脱構造。
【請求項３】
前記第１の係合手段は、前記カバーが前記筐体に取り付けられた状態において、前記第１の係合手段のフック部近傍の前記カバーの表面に対する垂直な方向への押圧によって解除され、前記カバーが前記スライドガイド手段によって前記筐体の前記開口部に沿って該筐体に押し込まれたとき、前記カバーの一端部に設けられたフック部と、前記筐体の前記開口部の縁部に設けられている係合部とが係合し、
前記第２の係合手段は、前記第１の係合手段が解除され、前記カバーが前記スライドガイド手段により前記第２のスライド距離だけスライドして前記フックが前記筐体の側面に設けられた前記開口部の側縁部に当接したとき、両側の前記フック部に対する前記カバーの表面に水平な方向への押圧によって解除され、前記カバーが前記筐体から開放可能となる、請求項１または請求項２に記載の筐体へのカバーの着脱構造。
【請求項４】
前記第２のスライド距離は８ｍｍ以下である、請求項１から請求項３のいずれか１項に記載のカバー取り付け構造。
【請求項５】
筐体へのカバーの着脱構造であって、
前記カバーは断面がＬ型であって、短い側面部と長い上面部とからなり、該上面部は前記側面部との交線から所定の距離をおいた区画線の先から幅が狭くなっており、
前記筐体は前記カバーが取り付けられる開口部を上面と側面とに有し、
前記カバーと前記筐体とには、第１の係合手段と第２の係合手段とを具備し、
前記第１の係合手段は、前記カバーの一端部に設けられたフック部と、前記筐体の前記開口部の縁部に設けられている係合部とからなり、
前記第２の係合手段は、前記カバーの幅の狭い上面の両縁に、前記区画線を一端とし下面に垂直方向に延び先端に外向きのフックを有するフック部と、前記筐体の内部に表面に垂直方向に設けられた係合部とからなり、該係合部は、前記カバーを取り付けた時に先端が前記フック部と係合するように配置された第１の部分と、該第１の部分の前記筐体の側面開口部側に前記フック部とは係合しない幅で設けられた第２の部分と、両側の該第２の部分を連結する第３の部分とを有することを特徴とする筐体へのカバーの着脱構造。
【請求項６】
前記カバーの前記第１の係合手段のフック部近傍は可撓性を有し、該第１の係合手段のフック部は先端に、前記カバーが前記筐体に取り付けられたとき、前記筐体に設けられた前記係合部と係合可能なフックを有し、
前記筐体の第２の係合手段の前記第２の部分は前記カバーのフックが通り抜ける幅を有し、前記第１の部分と前記第２の部分の長さの和と前記カバーの前記フックの幅との差は第１のスライド距離を形成する、請求項５に記載の筐体へのカバーの着脱構造。
【請求項７】
前記第１の係合手段は、前記カバーが前記筐体に取り付けられた状態において、前記第１の係合手段のフック部近傍の前記カバーの表面に対する垂直な方向への押圧によって解除され、
前記カバーの前記第２の係合手段の前記フック部が前記筐体の前記第２の係合手段の前記第２の部分に挿入されて前記第１の部分に向けて押圧されたとき、前記カバーの一端部に設けられた前記第１の係合手段のフック部と、前記筐体の前記開口部の縁部に設けられている前記第１の係合手段の係合部が係合し、
前記第２の係合手段は、前記第１の係合手段が解除され、前記カバーが前記第２の係合手段のフック部と前記筐体の前記第２の係合手段の前記第１の部分とが係合した状態で前記第１のスライド距離だけスライドして前記フック部が前記筐体の前記第２の係合手段の前記第３の部分に当接したとき係合は解除され、前記カバーが引き上げられることにより該カバーが前記筐体から開放可能となる、請求項５または請求項６に記載の筐体へのカバーの着脱構造。
【請求項８】
前記第１のスライド距離は８ｍｍ以下である、請求項５から請求項７のいずれか１項に記載のカバー取り付け構造。
【請求項９】
前記係合手段は、前記カバーあるいは前記筐体と一体となって同じ材質で形成されている、請求項１から請求項８のいずれか１項に記載のカバー取り付け構造。
【請求項１０】
前記カバーは弾性を有する材質で形成されている、請求項９に記載のカバー取り付け構造。
【請求項１１】
前記筐体はプロジェクタの筐体であり、前記カバーは前記プロジェクタのランプカバーである、請求項１から請求項１０のいずれか１項に記載のカバー取り付け構造。
【発明の詳細な説明】
【技術分野】
【０００１】
本発明は筐体へのカバーの着脱構造に関し、特にダブルロック構造を有する筐体へのカバーの着脱構造に関する。
【背景技術】
【０００２】
従来からランプを光源として用いる投写装置が、投光器をはじめとして、映像をスクリーン等の他の物体に投射するスライドプロジェクタから映写装置まで広く用いられている。近年はプロジェクタ（投写型表示装置）が会議などにおける資料提示用から、テレビに代わる家庭用プロジェクタ、さらには映画館用としてまでその用途が拡大している。その光源としては、近年一部でＬＥＤ（発光ダイオード）や半導体レーザなどの半導体発光素子も使用されるようになったが、高圧水銀ランプやメタルハライドランプなどの高熱を発する放電ランプが用いられていることが多い。これらの光源は、ある一定の使用時間を過ぎると発光効率や明るさが落ちてくるため、一定期間ごとに光源を交換する必要がある。
【０００３】
この時、高熱を発する光源ユニットは装置筐体の内部に設けられているので、装置筐体の外装面に光源ユニットを覆う取り外し可能なランプカバーが必要となる。従来はこのランプカバーの着脱の手段として、例えば特許文献１に記載の従来例に示されるような指で解除可能なフックによる取り付け構造や、ねじ等の別部品による固定や、フックを使用してロックする構造が用いられていた。
【０００４】
従来例の筐体へのカバーの着脱構造を図面を参照して説明する。図１１は第１の従来例の筐体へのランプカバーの取り付け構造を示す模式的斜視図であり、（ａ）はランプカバーが取り付けられた状態、（ｂ）はランプカバーが取り外された状態である。
【０００５】
第１の従来例においては、プロジェクタ５１のランプカバー５３の着脱構造は、装置筐体５２に対してねじ固定用穴５５が設けられ、ランプカバー５３を貫通する固定用ねじ５４などの固定用部品を使用して、ランプカバー５３を装置筐体５２のねじ固定用穴５５に完全に固定し、着脱の際は、その固定用ねじ５４を締めたり緩めたりしてランプカバー５３の着脱を行っている。この場合は、着脱の際に固定用ねじ５４などの固定用部品を取り外すための工具が別に必要となる。
【０００６】
図１２は第２の従来例の筐体へのランプカバーの取り付け構造を示す模式図であり、（ａ）はランプカバーが取り付けられた状態の上面図、（ｂ）は取り付け構造を説明するための（ａ）の断面Ｃ−Ｃの断面図である。
【０００７】
第２の従来例はフック構造等を着脱構造として使用した例であり、プロジェクタ６１のランプカバー６３には、装置筐体６２に対してランプカバー６３を固定するための嵌合機構６４が１箇所、もしくは複数設けられており、その嵌合機構６４を道具もしくは手動で解除することにより、ランプカバー６３の着脱が行われる。この時、嵌合機構６４が１箇所のみ設けられているものでは、嵌合機構６４が働いている時に、スライド用リブ６５、もしくはそれに類するものでランプカバー６３が脱落するのを防止している。これらのねじの位置、固定方法、フック構造の向き等は、この図に限定されるものではない。
【特許文献１】特許第３３２３７７０号公報（段落番号０００３、図７）
【発明の開示】
【発明が解決しようとする課題】
【０００８】
第１の従来例のねじ等の固定用部品を使用する方法では、ランプカバーの固定用部品が機能するように固定部品と係合する相手部品を本体側に取り付けなければならず、これによって、本体、ランプカバー両方に部品が追加されるので高価な構造になってしまう。また、着脱の際に専用の工具が必要になるので、使用者の利便性が損なわれる。
【０００９】
また、第２の従来例のフック構造を利用したランプカバーにおいては、着脱の際には専用の工具等は必要なく、また、構造的にもランプカバーと本体のみで構成できるので安価な構造にすることができるが、本体使用中にロック解除の方向に衝撃が加わると、ランプカバーが外れてしまう可能性がある。通常、プロジェクタのランプ自体は約１０００℃近くの温度になっており、その部品を内包するランプユニットの近傍は約１００℃近辺の温度となることが普通である。従って、衝撃によってカバーが完全に外れてしまった場合には使用者への危険性が高くなる。
【００１０】
このように、従来のランプカバーの着脱構造には次のような問題があった。即ち、
第１に、装置筐体やランプカバーとは別のねじ等の部品を使用して固定する場合には、着脱の際に専用の工具を使用する必要があり、それらの工具を準備する必要があった。このように本体とは別の部品が必要となるのでその分コストが上昇する。また、プロジェクタは室内の天井に取り付けられる場合もあるため、工具の必要な構造では、このような時に交換作業に際して天井の近くで工具を使用することになるので、作業が難しくなるという問題があった。
【００１１】
第２に、フック構造を用いてロックする構造の場合は、その構造上、フックを取り外す時に荷重を掛ける方向と同一方向に筐体が衝撃を受けてしまうと、衝撃でフック構造のフックが撓んでランプカバーが外れてしまう可能性があった。上述のように光源には高熱を発する物体が使用されているので、その装置が使用中であった場合に完全にランプカバーが外れてしまうと、外れた直後は内部が非常に高温になっているため安全性に問題があった。この問題を回避するためにフック部の強度を強めると、通常のランプカバーの着脱の際に大きな力が必要になり、交換作業そのものの手間が増えてしまうという問題があった。
【００１２】
これまでは、プロジェクタのランプカバーを例として説明したが、用途はプロジェクタに限定されるものではなく、筐体へのカバーの着脱に便宜性と安全性が求められる対象は多く、プロジェクタにおけるランプカバーの着脱の際の問題点に対応できる技術は、これらの対象からも広く求められている。
【００１３】
本発明の目的は、着脱が容易で、かつ安全性の高い筐体へのカバーの着脱構造を提供することにある。
【課題を解決するための手段】
【００１４】
本発明の筐体へのカバーの着脱構造は、
第１の態様では、カバーは断面がＬ型であって、短い側面部と長い上面部とからなり、筐体は、断面がＬ型のカバーが取り付けられる開口部を上面と側面とに有し、カバーと筐体とは、第１の係合手段と第２の係合手段とスライドガイド手段とを具備し、第１の係合手段は、カバーの一端部に設けられたフック部と、筐体の開口部の縁部に設けられている係合部とからなり、第２の係合手段は、カバーの側面部の両端から上面部の両縁に沿って延びていて先端に外向きのフックを有するフック部と、筐体の側面に形成された開口部の側縁部とからなり、スライドガイド手段は、カバーの裏面に設けられたスライドレールと、筐体に設けられたガイド部とからなることを特徴とする。
【００１５】
スライドガイド手段は、カバーを筐体の側面の開口部に向かう方向で第１のスライド距離だけガイド可能にスライドレールとガイド部とが係合し、カバーの第１の係合手段のフック部近傍は可撓性を有し、その第１の係合手段のフック部は先端に、カバーが筐体に取り付けられたとき、筐体に設けられた係合部と係合可能なフックを有し、第２の係合手段のフック部は可撓性を有し、先端のフックはカバーの側面部の表面から第１のスライド距離より少ない第２のスライド距離だけ離れて設けられていてもよい。また、第１の係合手段は、カバーが筐体に取り付けられた状態において、第１の係合手段のフック部近傍のカバーの表面に対する垂直な方向への押圧によって解除され、カバーがスライドガイド手段によって筐体の開口部に沿ってその筐体に押し込まれたとき、カバーの一端部に設けられたフック部と、筐体の開口部の縁部に設けられている係合部とが係合し、第２の係合手段は、第１の係合手段が解除され、カバーがスライドガイド手段により第２のスライド距離だけスライドしてフックが筐体の側面に設けられた開口部の側縁部に当接したとき、両側のフック部に対するカバーの表面に水平な方向への押圧によって解除され、カバーが筐体から開放可能となってもよい。第２のスライド距離は８ｍｍ以下であることが望ましい。
【００１６】
第２の態様では、カバーは断面がＬ型であって、短い側面部と長い上面部とからなり、その上面部は側面部との交線から所定の距離をおいた区画線の先から幅が狭くなっており、筐体はカバーが取り付けられる開口部を上面と側面とに有し、カバーと筐体とには、第１の係合手段と第２の係合手段とを具備し、第１の係合手段は、カバーの一端部に設けられたフック部と、筐体の開口部の縁部に設けられている係合部とからなり、第２の係合手段は、カバーの幅の狭い上面の両縁に、区画線を一端とし下面に垂直方向に延び先端に外向きのフックを有するフック部と、筐体の内部に表面に垂直方向に設けられた係合部とからなり、その係合部は、カバーを取り付けた時に先端がフック部と係合するように配置された第１の部分と、その第１の部分の筐体の側面開口部側にフック部とは係合しない幅で設けられた第２の部分と、両側のその第２の部分を連結する第３の部分とを有することを特徴とする。
【００１７】
カバーの第１の係合手段のフック部近傍は可撓性を有し、その第１の係合手段のフック部は先端に、カバーが筐体に取り付けられたとき、筐体に設けられた係合部と係合可能なフックを有し、筐体の第２の係合手段の第２の部分はカバーのフックが通り抜ける幅を有し、第１の部分と第２の部分の長さの和とカバーのフックの幅との差は第１のスライド距離を形成してもよく、また、第１の係合手段は、カバーが筐体に取り付けられた状態において、第１の係合手段のフック部近傍のカバーの表面に対する垂直な方向への押圧によって解除され、カバーの第２の係合手段のフック部が筐体の第２の係合手段の第２の部分に挿入されて第１の部分に向けて押圧されたとき、カバーの一端部に設けられた第１の係合手段のフック部と、筐体の開口部の縁部に設けられている第１の係合手段の係合部が係合し、第２の係合手段は、第１の係合手段が解除され、カバーが第２の係合手段のフック部と筐体の第２の係合手段の第１の部分とが係合した状態で第１のスライド距離だけスライドしてフック部が筐体の第２の係合手段の第３の部分に当接したとき係合は解除され、カバーが引き上げられることによりそのカバーが筐体から開放可能となってもよい。第１のスライド距離は８ｍｍ以下であることが望ましい。
【００１８】
係合手段は、カバーあるいは筐体と一体となって同じ材質で形成されていてもよく、カバーは弾性を有する材質で形成されていてもよく、筐体はプロジェクタの筐体であり、カバーはプロジェクタのランプカバーであってもよい。
【００１９】
第１のロック構造と第２のロック構造との間に、解除可能となるカバーの移動距離が設けられているので、第１のロック構造が解除されてもカバー自体が外れることはなく、第１のロック構造と第２のロック構造とのロック解除方向が異なった方向を向いているため、単一方向の衝撃が連続してもカバーが外れない。
【発明の効果】
【００２０】
本発明の筐体へのカバーの着脱構造には、次のような効果がある。即ち、
第１の効果は、第１のロック構造と第２のロック構造との間に、解除可能となるカバーの移動距離が設けられているので、一回の衝撃で第１のロック構造が解除されてもカバー自体が外れることはなく、衝撃等の外力によって偶然にカバーが外れることがないので高い安全性を確保できることである。
【００２１】
第２の効果は、第１のロック構造と第２のロック構造とのロック解除方向が異なった方向を向いているため、単一方向の衝撃が連続してもカバーが外れないことである。これが、解除方向が同じ方向を向いていた場合には、単一の衝撃であっても衝撃時間が長い場合は両方のロック構造が外れてしまう可能性があるが、異なった方向を向いていることで高い安全性が確保できる。
【００２２】
第３の効果は、衝撃等により第１のロック構造が外れてしまっても、第２のロック構造が僅かなカバーの移動位置の間で拘束効果を発揮しているので、カバーが完全には外れることはないが、第１のロックが外れてしまっている状態で本体を触っても、開いている間隙が少ないので、高温になっているランプユニットを偶然触ってしまう可能性が非常に低いことである。
【００２３】
第４の効果は、本体の外装面に、凸部やその他の部品を取り付ける必要がなく、かつ、フック等の構造物を取り付ける必要もないので、外装面の美観が向上することである。また、凸部がないことにより、接触によるけがなどの危険性も減るので、安全性を高めることができることである。
【発明を実施するための最良の形態】
【００２４】
本発明の筐体へのカバーの着脱構造は、カバーの着脱を必要とする筐体に対して広く適用が可能であるが、実施の形態としては最も効果が大きいと考えられるプロジェクタ（画像表示装置）の装置筐体へのランプカバーの着脱構造を例として、２重のロック構造を有するプロジェクタダブルロックランプカバー構造(ダブルロック構造と略称)として説明する。
【００２５】
本発明によるプロジェクタダブルロックランプカバー構造は、従来のねじの締結による固定方法やフックによるランプカバーの嵌合構造と比べて、ランプカバーの着脱が簡便で、かつ安全に着脱できることを特徴としている。
【００２６】
次に、本発明の実施の形態について図面を参照して説明する。図１は本発明の第１の実施の形態のプロジェクタダブルロックランプカバー構造を説明するためのプロジェクタの斜視図であり、図２は図１のランプカバーの斜視図であり、（ａ）は上面の斜視図、（ｂ）は裏面の斜視図であり、図３は図１のランプカバーがスライドした状態を示すプロジェクタの斜視図であり、図４は図３のプロジェクタ筐体の内部を示す模式的裏面図であり、（ａ）は筐体の内部の裏面図、（ｂ）は（ａ）の断面Ｂ−Ｂにおける断面図である。図５は第２のロック構造の解放動作を示すプロジェクタの裏面図であり、図６は第２のロック構造の解放後の状態を示すプロジェクタの裏面図であり、図７は第１のロック構造と第２のロック構造の関係を示す模式図であり、（ａ）はプロジェクタの上面図、（ｂ）は（ａ）の断面Ａ−Ａの断面図であり、図８はランプカバーのスライド量の関係を示すプロジェクタの裏面図である。
【００２７】
プロジェクタ１の装置筐体２の上面と側面には、ランプカバー３と係合する位置に開口部が設けられている。ランプカバー３は装置筐体２の開口部と整合するように一端にＬ型の折り曲げ部を有する板状の部材で構成され、部材は可撓性を有する樹脂製であることが望ましい。図２に示すように、ランプカバー３の折り曲げ部と反対側の下面には上向きのフックを有する第１のロック構造のフック部５ａが設けられ、折り曲げ部の左右の側端には、ランプカバー３を装置筐体２から引き出した時に装置筐体２の側面の開口部の周縁に当接する外向きのフックを有する第２のロック構造のフック部６ａ、６ｂが設けられ、第１のロック構造のフック部５ａと折り曲げ部との間の裏側の左右には、外側にスライド面を有するＬ型のスライドレール８ａ、８ｂが設けられている。
【００２８】
装置筐体２の上面の開口部に接する部分の下面には、ランプカバー３の第１のロック構造のフック部５ａのフックと係合してランプカバー３を装着位置に保持する第１のロック構造の係合部５ｂ（図７（ｂ）参照）が設けられ、装置筐体２の開口部に接する上面の左右の下面にはガイド部８ｃ、８ｄが設けられ、ガイド部８ｃ、８ｄはランプカバー３のスライドレール８ａ、８ｂのスライド部と係合して、挿入・取り出し時のランプカバー３の動きを規制する（図４（ｂ）参照）。このように第１のロック構造５と第２のロック構造６と備えたダブルロック構造となっており（図７（ｂ）参照）、第１のロック構造５が解除されてから第２のロック構造６の係合位置までランプカバー３が移動するまでの間は、装置筐体２のガイド部８ｃ、８ｄとランプカバー３のスライドレール８ａ、８ｂのスライド部とが係合しているので、ランプカバー３の動きが規制されて装置筐体２とランプカバー３との間に僅かの隙間Ｘしか生じない（図３参照）。従って、装置筐体２に取り付けられているランプユニットを交換するためにランプカバー３を取り外した時以外には、ランプユニットに容易に触れられないような構造となっている。隙間Ｘは指が挿入されないように８ｍｍ以下であることが望ましい。
【００２９】
装置筐体２にランプカバー３が取り付けられた状態では、装置筐体２の開口部にＬ型のランプカバー３が整合した状態で、ランプカバー３のスライドレール８ａ、８ｂのスライド部は装置筐体２のガイド部８ｃ、８ｄと係合し、ランプカバー３の第１のロック構造のフック部５ａのフックが装置筐体２の第１のロック構造の係合部５ｂと係合してランプカバー３を装着位置に保持し、ランプカバー３の折り曲げ部の左右の第２のロック構造のフック部６ａ‐１、６ｂ‐２の外向きのフックは装置筐体２の側面の開口部より装置筐体２の内部に入り込んだ状態にある。
【００３０】
次に各図を参照して第１の実施の形態のプロジェクタダブルロックランプカバー構造の動作を説明する。図１に示すように、プロジェクタ１の装置筐体２にランプカバー３が取り付けられている状態で、ランプカバー３の第１のロック構造５の近傍に押圧力Ｆ1を加えることにより、ランプカバー３の撓みによってランプカバー３の下面に設けられている第１のロック構造のフック部５ａの先端のフックが押し下げられ、装置筐体２の第１のロック構造の係合部５ｂとの係合が解除される（図２、７参照）。
【００３１】
押圧力Ｆ１を加えたまま、ランプカバー３を装置筐体２に対してスライドさせる方向に摺動力Ｆ２を加えると（図３参照）、ランプカバー３は、スライドレール８ａ、８ｂと係合する装置筐体２のガイド部８ｃ、８ｄをガイドにして、第２のロック構造のフック部６ａ、６ｂの外向きのフックが装置筐体２の開口部の側壁部分に当接するまでスライドする（図３参照）。
【００３２】
この状態で、無理にランプカバー３を装置筐体２から取り外そうとしても、図８に示すように、この第１のロック構造５が外れて、第２のロック構造のフック部６ａ、６ｂがランプカバー３の開口部の側壁に当接するまでのスライド区間は、第２のロック構造のフック部６ａ、６ｂのスライドできる距離（スライド量ａ）よりも、スライドレール８ａ、８ｂが装置筐体２のガイド部８ｃ、８ｄ上をスライドできる距離(スライド量ｂ)の方が長く、かつ、スライドレール８ａ、８ｂとガイド部８ｃ、８ｄとによって横方向への動作が完全に規制されており、このガイド部８ｃ、８ｄで規定される移動線上から外れて、ランプカバー３が移動することはない。この場合、第１のロック構造のフック部５ａは、完全に装置筐体２の第１のロック構造の係合部５ｂから外れており、再度ランプカバー３を押し込んで、両者を係合させない限り、第１のロック構造５は係止力を発揮することはない。
【００３３】
図５に示すように、第２のロック構造のフック部６ａ、６ｂが装置筐体２の開口部の側壁内面に当接した状態で、第２のロック構造のフック部６ａ、６ｂの両側から押圧力Ｆ３が加えられると、装置筐体２の開口部側壁内面と第２のロック構造のフック部６ａ、６ｂのフックとの係合が外れる。この状態でランプカバー３を装置筐体２から引き抜くと、ランプカバー３を装置筐体２から取り外すことができる。この時、第２のロック構造のフック部６ａ、６ｂのフックが、装置筐体２の開口部から出た状態まで引き抜いた時には、スライドレール８ａ、８ｂは、装置筐体２のガイド部８ｃ、８ｄから完全に外れており、その後のランプカバー３の動作は規制されない（図６参照）。
【００３４】
ランプカバー３を装置筐体２に取り付ける場合は、スライドレール８ａ、８ｂが装置筐体のガイド部８ｃ、８ｄに嵌まり込み、第２のロック構造のフック部６ａ、６ｂが、装置筐体２の開口部に入り込む位置にランプカバー３を置き、ランプカバー３を押し込むと、第２のロック構造のフック部６ａ、６ｂは装置筐体２の開口部で押されて開口部の内部に入り、第１のロック構造のフック部５ａが第１のロック構造の係合部５ｂと係合して装置筐体２に固定される。
【００３５】
この構造では、装置筐体２とランプカバー３との係合のために、装置筐体２とランプカバー３自体に形成された要素以外に固定用のねじ等の他の部品を使用することがないので、係合部分は装置筐体２とランプカバー３と同時に成型でき、安価な構造とすることができる。また、従来例のフックを用いたロック構造に比較すると、第１のロック構造５のロックが外れてランプカバー３が移動しても、移動はスライドレール８ａ、８ｂとガイド部８ｃ、８ｄの係合により規制され、かつ所定の距離の移動後でないと第２のロック構造６ａ、６ｂのロックを解除することができず、前のロックが外れてからカバーが移動しないと、後のロックの解除ができないダブルロック構造になっているので、衝撃等が本体に加わっても２組のロック構造が同時に解除されてランプカバー３が外れてしまうことを防止することができ、製品の安全性が高くなっている。
【００３６】
このように本発明のダブルロック構造を用いて筐体へのカバーの着脱構造を構成すると、従来例のランプカバーで必要であったねじ等の固定用部品は必要なく、フック構造を利用したロック機構と比較してもの第１のロック構造５と第２のロック構造６とガイド部と係合するスライドレール８のみでよいので、装置筐体２とランプカバー３に形成された構造以外の部品が必要なく、少ないコストで本体を構成することができる。
【００３７】
上述のように、第２のロック構造６は第１のロック構造５が外れてランプカバー３がスライドしてからでなければ動作しないので、第２のロック構造のフック部６ａ、６ｂの解除が、第１のロック構造５の解除直後から実行されることが防がれている。第１のロック構造５が解除されてから第２のロック構造のフック部６ａ、６ｂが動作するまでのランプカバー３の移動は、スライドレール８ａ、８ｂと装置筐体２のガイド部８ｃ、８ｄとの係合により規制されており、ガイド部８ｃ、８ｄの規定する方向と違う方向には移動せず、これによって第２のロック構造のフック部６ａ、６ｂを外すまで、ランプカバー３が装置筐体２から外れてしまうことを防いでいる。
【００３８】
また、第１のロック構造のフック部５ａのロック解除方向と、第２のロック構造のフック部６ａ、６ｂのロック解除方向とは異なる方向となっており、第１のロック構造のフック部５ａを解除する方向に力が加わっても、そのままの力の方向では、第２のロック構造のフック部６ａ、６ｂを解除することはできない。つまり、第２のロック構造のフック部６ａ、６ｂを解除するには、第１のロック構造のフック部５ａを解除する方向とは異なる方向に力を加える必要がある。この構造により、衝撃等の外力が加わって第１のロック構造５が外れてしまった場合でも、同一方向の衝撃ではランプカバー３は装置筐体２から外れない。また、その後でロック状態となる第２のロック構造のフック部６ａ、６ｂは、第１のロック構造５とは別の方向の衝撃が加わらないと外れない。そのため、ランプカバー３への一度の衝撃では、ランプカバー３が完全に外れることはなく、使用者が誤って装置筐体２の内部のランプユニットに触れてしまうことを防止できる。
【００３９】
また、図８に示すように、第１のロック構造５が解除されてから第２のロック構造のフック部６ａ、６ｂが装置筐体２の開口部の壁部に当接するまでの距離をスライド量ａとすると、第１のロック構造５が解除された後にできる隙間Ｘ（図３参照）、隙間Ｙ（図４参照）の量は、スライド量ａ（図８参照）と同じ寸法になるが、この寸法を使用する対象となる人間の指が入らない寸法にしておけば、第１のロック構造５が外れた場合でも装置筐体２の内部のランプユニットに触れることができないので、さらに安全性を高めることができる。このスライド量ａは具体的には８ｍｍ以下が望ましい。
【００４０】
ランプカバー３を取り外す場合においては、第１のロック構造５を外した後には、第２のロック構造のフック部６ａ、６ｂを外すために必ずランプカバー３から手を移動させなければならないため、使用者にランプカバー３を外す意思がなければ、本体操作中に偶然の動作でランプカバーが外れてしまうことも防止できる。
【００４１】
装置筐体２からランプカバー３を取り外す場合も所定の個所を指で押圧、あるいはスライドさせるだけでよく、取り付ける場合もランプカバー３を装置筐体２の開口部の所定の場所においてから押し込むだけでよいので、取り外し、取り付けに際して専用の工具などは必要なく、簡便な取り付け、取り外し構造とすることができる。
【００４２】
また、ロック構造が、全てランプカバー３の内側に構成されているため、基本的には外観にパーティングラインのみしか出てこない構造にすることができ、ねじ等の追加部品や、フック等の外装面とは違う構造物が出ないので、装置筐体２の外観品位を高くすることができる。
【００４３】
次に、本発明の第２の実施の形態について説明する。図９は本発明の第２の実施の形態のプロジェクタダブルロックランプカバー構造を説明するためのプロジェクタの模式図であり、（ａ）は底板を外したプロジェクタの斜視図、（ｂ）はランプカバー裏面の斜視図である。図１０は図９の装置筐体の模式図であり、（ａ）は装置筐体上面裏側の模式図であり、（ｂ）は（ａ）の断面Ｄ−Ｄの断面図である。
【００４４】
本発明の第２の実施の形態のプロジェクタダブルロックランプカバー構造は、第１の実施の形態のプロジェクタダブルロックランプカバー構造と、第２のロック構造とスライドレールの構成が異なるだけで、他の要素の構成と動作は同じなので同じ要素については同じ符号を用いて詳細な説明を省略する。
【００４５】
第２の実施の形態では、第１の実施の形態の第２のロック構造６とスライドレール８の機能を、第３のロック構造７で代行する。第２の実施の形態のランプカバー１３の幅は折り曲げ部より第１のロック構造のフック部５ａに寄った位置を境界線として折り曲げ部より幅が狭くなっている。境界線に接したランプカバー１３の両側の狭くなった縁部からランプカバー１３の内部に向けて垂直に板状の第３のロック構造のフック部７ａ、７ｂが形成され、その先端には外部に向けてフックが形成されている。
【００４６】
装置筐体１２の上面にはランプカバー１３に整合する開口部が設けられ、装置筐体１２の上面の開口部に接する部分の下面には、第１の実施の形態と同様にランプカバー１３が装置筐体１２に取り付けられたとき、ランプカバー１３の第１のロック構造のフック部５ａのフックと係合してランプカバー１３を装着位置に保持する第１のロック構造の係合部（図７（ｂ）参照）が設けられている。
【００４７】
装置筐体１２の内部には表面に垂直方向に設けられた第３のロック構造のガイド部９が設けられ、ガイド部９は、ランプカバー１３を装置筐体１２に取り付けた時に、先端がフック部７ａ、７ｂのフックと係合するように配置された係合部９ａと、係合部９ａの装置筐体１２の側面開口部側にフック部７ａ、７ｂとは係合しない幅で設けられた空間部９ｂと、側壁の開口部側で空間部９ｂを連接した板状の左右連結部９ｃが設けられている。空間部９ｂでは係合部９ａで係合している第３のロック構造のフック部７ａ、７ｂが抜け出すことができる（図１０参照）。
【００４８】
装置筐体１２にランプカバー１３が取り付けられた状態では、装置筐体１２の開口部にＬ型のランプカバー１３が整合した状態で、ランプカバー１３の第３のロック構造のフック部７ａ、７ｂのフックが装置筐体１２のガイド部９の板状の係合部９ａと係合し、ランプカバー１３の第１のロック構造のフック部５ａのフックが装置筐体１２の第１のロック構造の係合部と係合してランプカバー３を装着位置に保持している。
【００４９】
プロジェクタ１１の装置筐体１２に取り付けられているランプカバー１３の第１のロック構造５の近傍に押圧力Ｆ1を加えることにより、第１の実施の形態と同様にランプカバー１３の下面に設けられている第１のロック構造のフック部５ａの先端のフックが押し下げられ、装置筐体１２の第１のロック構造の係合部との係合が解除される（図２、７参照）。
【００５０】
押圧力Ｆ１を加えたまま、ランプカバー１３を装置筐体１２に対してスライドさせる方向に摺動力Ｆ２を加えると（図３参照）、ランプカバー１３は装置筐体１２のガイド部９の係合部９ａをガイドにして、第３のロック構造のフック部７ａ、７ｂの外向きのフックがガイド部９の先端の左右連結部９ｃに当接するまでスライドする。
【００５１】
この中間で、無理にランプカバー１３を装置筐体１２から、上方に取り外そうとしても第３のロック構造のフック部７ａ、７ｂが装置筐体１２の係合部９ａと係合しているためランプカバー１３は外れない。また、ランプカバー１３を装置筐体１２から引き抜こうとしても、第３のロック構造のフック部７ａ、７ｂがガイド部９の先端の左右連結部９ｃに当接するので引き抜くことはできない。第３のロック構造のフック部７ａ、７ｂがガイド部９の先端の左右連結部９ｃに当接した状態でランプカバー１３を上方に押し上げると、第３のロック構造のフック部７ａ、７ｂが装置筐体１２のガイド部９の空間部９ｂを通過するのでランプカバー１３を装置筐体１２から取り外すことができる。
【００５２】
このように、第１のロック構造５が嵌合している状態では、第３のロック構造のフック部７ａ、７ｂはガイド部９の係合部９ａと係合状態にあり、第１のロック構造５が外れただけでは係合を解除することはできない。また、第１の実施の形態と同様に、第１のロック構造５が解除されてから第３のロック構造のフック部７ａ、７ｂが解除可能な状態になるまでの間には距離があり、その距離によって第３のロック構造のフック部７ａ、７ｂが、第１のロック構造５の解除直後に解除されることを防いでいる。
【００５３】
第１のロック構造５が解除されてから第３のロック構造のフック部７ａ、７ｂが解除可能となるまでのランプカバー１３の移動は、第３のロック構造のフック部７ａ、７ｂと装置筐体１２の係合部９ａとの係合により規制されており、係合部９ａの規制する方向と違う方向には動作しない。また、これによって第３のロック構造のフック部７ａ、７ｂが空間部９ｂに至るまで、ランプカバー１３が装置筐体１２から外れてしまうことを防いでいる。第１のロック構造が解除されてから第３のロック構造のフック部７ａ、７ｂがガイド部９の左右連結部９ｃまでの移動距離と隙間Ｘ（図３参照）は等しいので、この寸法を使用する対象となる人間の指が入らない寸法にしておけば、第１のロック構造５が外れた場合でも装置筐体２の内部のランプユニットに触れることができないので、さらに安全性を高めることができる。このスライド量ａは具体的には８ｍｍ以下が望ましい。
【００５４】
また、第１の実施の形態と同様に、第１のロック構造のフック部５ａと、第３のロック構造のフック部７ａ、７ｂのロック解除方向は、異なる方向を向いており、第１のロック構造のフック部５ａを解除する方向に力が加わっても、そのままの力の方向では、第３のロック構造のフック部７ａ、７ｂを解除することはできない。つまり、第３のロック構造のフック部７ａ、７ｂを解除するには、第１のロック構造のフック部５ａを解除する方向とは異なる方向に力を加える必要がある。この構造により、衝撃等の外力が加わって、第１のロック構造５が外れてしまった場合でも、同一方向の衝撃ではランプカバー１３は装置筐体１２から外れない。また、その後で開放可能となる第３のロック構造のフック部７ａ、７ｂは、第１のロック構造５とは、別の方向に衝撃が加わらないと外れない。そのため、ランプカバー１３への一度の衝撃では完全にランプカバー１３が外れることはなく、使用者が誤ってランプユニットに触れてしまうことを防止できる。
【００５５】
本願発明の筐体へのカバーの着脱構造は、実施の形態で説明したようなランプを内蔵する投光器をはじめとしてスライドプロジェクタから映写装置までの投写装置のランプカバーの取り付け構造として適用されるだけでなく、そのままの形態で筐体へのカバーの着脱に便宜性と安全性が求められる一般的なランプを内蔵しない筐体へのカバーの着脱にも広く適用することが可能である。
【図面の簡単な説明】
【００５６】
【図１】本発明の第１の実施の形態のプロジェクタダブルロックランプカバー構造を説明するためのプロジェクタの斜視図である。
【図２】図１のランプカバーの斜視図であり、（ａ）は上面の斜視図、（ｂ）は裏面の斜視図である。
【図３】図１のランプカバーがスライドした状態を示すプロジェクタの斜視図である。
【図４】図３のプロジェクタ筐体の内部を示す模式的裏面図であり、（ａ）は筐体の内部の裏面図、（ｂ）は（ａ）の断面Ｂ−Ｂにおける断面図である。
【図５】第２のロック構造の解放動作を示すプロジェクタの裏面図である。
【図６】第２のロック構造の解放後の状態を示すプロジェクタの裏面図である。
【図７】第１のロック構造と第２のロック構造の関係を示す模式図であり、（ａ）はプロジェクタの上面図、（ｂ）は（ａ）の断面Ａ−Ａの断面図である。
【図８】ランプカバーのスライド量の関係を示すプロジェクタの裏面図である。
【図９】本発明の第２の実施の形態のプロジェクタダブルロックランプカバー構造を説明するためのプロジェクタの模式図であり、（ａ）は底板を外したプロジェクタの斜視図、（ｂ）はランプカバー裏面の斜視図である。
【図１０】図９の装置筐体の模式図であり、（ａ）は装置筐体上面裏側の模式図であり、（ｂ）は（ａ）の断面Ｄ−Ｄの断面図である。
【図１１】第１の従来例の筐体へのランプカバーの取り付け構造を示す模式的斜視図であり、（ａ）はランプカバーが取り付けられた状態、（ｂ）はランプカバーが取り外された状態である。
【図１２】第２の従来例の筐体へのランプカバーの取り付け構造を示す模式図であり、（ａ）はランプカバーが取り付けられた状態の上面図、（ｂ）は取り付け構造を説明するための（ａ）の断面Ｃ−Ｃの断面図である。
【符号の説明】
【００５７】
１、１１、５１、６１    プロジェクタ
２、１２、５２、６２    装置筐体
３、１３、５３、６３    ランプカバー
５    第１のロック構造
５ａ    第１のロック構造のフック部
５ｂ    第１のロック構造の係合部
６    第２のロック構造
６ａ、６ｂ    第２のロック構造のフック部
７ａ、７ｂ    第３のロック構造のフック部
８ａ、８ｂ    スライドレール
８ｃ、８ｄ    ガイド部
９    ガイド部
９ａ    係合部
９ｂ    空間部
９ｃ    左右連結部
５４    固定用ねじ
５５    ねじ固定用穴
６４    嵌合機構
６５    スライド用リブ
Ｆ１、Ｆ３    押圧力
Ｆ２    摺動力
ａ、ｂ    スライド量
Ｘ、Ｘ’    隙間
Ｙ    スライドした量
【図１】
2007095793.tif 000003
【図２】
2007095793.tif 000004
【図３】
2007095793.tif 000005
【図４】
2007095793.tif 000006
【図５】
2007095793.tif 000007
【図６】
2007095793.tif 000008
【図７】
2007095793.tif 000009
【図８】
2007095793.tif 000010
【図９】
2007095793.tif 000011
【図１０】
2007095793.tif 000012
【図１１】
2007095793.tif 000013
【図１２】
2007095793.tif 000014